(57)【要約】【課題】  劇場などの舞台床のように溝や孔があっても、その利用による重量物の移送を可能にする。【解決手段】  地盤面あるいは床面に向けてエアを噴出するエアキャスタ１と、このエアキャスタ１を下面側に保持するフレーム体２と、このフレーム体２の移動方向における前後端部に保持されてローラ面３ａを地盤面あるいは床面に対向させる一対のローラ３，３と、この一対のローラ３，３に巻装されて表面４ａを地盤面あるいは床面に接触させながら裏面４ｂにエアキャスタ１から噴出されるエアを衝突させる移動ベルト体４と、上記のフレーム体２に載置されて上記の移動ベルト体４を移動させる駆動機構５とを有してなる。【選択図】  図１
2008228881.tif 000002
【特許請求の範囲】
【請求項１】
地盤面あるいは床面に向けてエアを噴出するエアキャスタと、このエアキャスタを下面側に保持するフレーム体と、このフレーム体の移動方向における前後端部に保持されてローラ面を地盤面あるいは床面に対向させる一対のローラと、この一対のローラに巻装されて表面を地盤面あるいは床面に接触させながら裏面にエアキャスタから噴出されるエアを衝突させる移動ベルト体と、上記のフレーム体に載置されて上記の移動ベルト体を移動させる駆動機構とを有してなることを特徴とするエアキャスタ装置。
【請求項２】
エアキャスタが複数配置とされてなる請求項１に記載のエアキャスタ装置。
【請求項３】
移動ベルト体がエンドレス構造とされてなる請求項１または請求項２に記載のエアキャスタ装置。
【請求項４】
表面が地盤面あるいは床面に接触されている移動ベルト体における裏面の面積がエアキャスタにおけるエアの噴出し部における面積より大きく設定されてなる請求項１、請求項２または請求項３に記載のエアキャスタ装置。
【発明の詳細な説明】
【技術分野】
【０００１】
この発明は、エアキャスタ装置に関し、特に、重量物の移送に向くエアキャスタ装置の改良に関する。
【背景技術】
【０００２】
一般に、重量物の移送には、クレーンなどの重機が利用されるが、このクレーンなどの重機は、長いブームを有することから、屋外などのいわゆる開けた空間での利用には向くが、屋内などに限られた空間での利用には向かないとされており、それゆえ、近年では、たとえば、特許文献１に開示されているようなエアキャスタ装置の利用が好ましいとされている。
【０００３】
すなわち、特許文献１に開示のエアキャスタ装置は、いわゆるホバークラフト原理を利用するもので、重量物が直接地盤面あるいは床面などに接触しないから、その地盤面あるいは床面に重量物を移送した痕跡を残さないようにすることが可能になる。
【０００４】
その結果、地盤面あるいは床面に重量物を移送した痕跡を残さないようにするための処置を施さなくて済むのはもちろんのこと、重量物と地盤面あるいは床面との間には接触抵抗が発生しないから、僅かな外力操作でその重量物を移送できることになり、重量物の移送についての作業性に優れる点で有利となる。
【特許文献１】特開平８‐１７５４８６号公報（明細書中の段落０００７、同００２４、同００２５、図１乃至図９参照）
【発明の開示】
【発明が解決しようとする課題】
【０００５】
しかしながら、上記したエアキャスタ装置にあっては、それ自体が原理的に機能するところに問題がある訳ではないが、それを利用する地盤面あるいは床面の状況によっては、些か不具合があると指摘される可能性がある。
【０００６】
すなわち、上記したエアキャスタ装置にあっては、エアを地盤面あるいは床面に向けて吹き付けて、その反力たる揚力で装置本体を上昇させてエアキャスタ装置と地盤面あるいは床面との接触を避け、その状態下での外力作用でエアキャスタ装置が移動し得るとしている。
【０００７】
それゆえ、このエアキャスタ装置の利用に際しては、地盤面あるいは床面に吹き付けられるエアがいわゆる無駄なく地盤面あるいは床面に衝突することになり、その際の揚力が充分となることが必須とされる。
【０００８】
にも拘わらず、たとえば、劇場の舞台などでは、舞台床に溝や孔が形成されていることが多く、そのため、この溝や孔によって、エアがいわゆる逃げることになり、甚だしいときには、重量物たる、たとえば、音響反射板の移送を思うに任せなくなることが危惧されることになる。
【０００９】
そして、溝や孔によるエアの逃げが確認される場合には、これらの溝や孔を塞ぐ作業が必要になり、本来エアキャスタ装置を利用することで、作業性を向上させようとしていることを反古させることになる。
【００１０】
この発明は、このような現状を鑑みて創案されたものであって、その目的とするところは、劇場の舞台床などのように溝や孔があっても、その利用による重量物の移送を可能にして、その汎用性の向上を期待するのに最適となるエアキャスタ装置を提供することである。
【課題を解決するための手段】
【００１１】
上記した目的を達成するために、この発明によるエアキャスタ装置の構成を、基本的には、地盤面あるいは床面に向けてエアを噴出するエアキャスタと、このエアキャスタを下面側に保持するフレーム体と、このフレーム体の移動方向における前後端部に保持されてローラ面を地盤面あるいは床面に対向させる一対のローラと、この一対のローラに巻装されて表面を地盤面あるいは床面に接触させながら裏面にエアキャスタから噴出されるエアを衝突させる移動ベルト体と、上記のフレーム体に載置されて上記の移動ベルト体を移動させる駆動機構とを有してなるとする。
【００１２】
そして、より具体的には、エアキャスタ装置において、エアキャスタが複数配置とされ、また、移動ベルト体がエンドレス構造とされ、さらには、表面が地盤面あるいは床面に接触されている移動ベルト体における裏面の面積がエアキャスタにおけるエアの噴出し部における面積より大きく設定されてなるとする。
【００１３】
そしてまた、エアキャスタ装置は、好ましくは、門形に形成されて内側面を音響反射面にしながら舞台床上での移動を可能にする音響反射板において、舞台の袖側に位置決められる側面部における脚部に配設されるとするのが良く、このとき、エアキャスタ装置は、舞台の床面に向けてエアを噴出するエアキャスタと、このエアキャスタを下面側に保持するフレーム体と、このフレーム体の移動方向における前後端部に保持されてローラ面を舞台の床面に対向させる一対のローラと、この一対のローラに巻装されて表面を舞台の床面に接触させながら裏面にエアキャスタから噴出されるエアを衝突させる移動ベルト体と、上記のフレーム体に載置されて上記の移動ベルト体を移動させる駆動機構とを有してなるとする。
【発明の効果】
【００１４】
それゆえ、この発明のエアキャスタ装置にあっては、エアキャスタからのエアが移動ベルト体の裏面に吹き付けられることになり、その際の反力たる揚力でエアキャスタが、すなわち、このエアキャスタを下面側に保持するフレーム体が上昇することになり、その状態下での移動ベルト体の移動でエアキャスタ装置が移動し得ることになる。
【００１５】
このとき、エアキャスタからのエアは、移動ベルト体に吹き付けられ、また、これによって移動ベルト体が舞台の床面に押し付けられるから、舞台床にエアが吹き付けられたことを示す痕跡を残さないことが可能になる。
【００１６】
そして、エアキャスタ装置において、エアキャスタが複数配置とされることで、一つのエアキャスタにおける能力を小さく抑えることが可能になり、また、複数あるうちの一つのエアキャスタに故障が発現されても、残りのエアキャスタが作動するところで、緊急的に対応できることになる。
【００１７】
そしてまた、エアキャスタ装置において、移動ベルト体がエンドレス構造とされことで、移動ベルト体を必要最小限度の長さにして、エアキャスタ装置における重量の軽減化に寄与し得ることになる。
【００１８】
さらに、エアキャスタ装置において、表面が地盤面あるいは床面に接触されている移動ベルト体における裏面の面積がエアキャスタにおけるエアの噴出し部における面積より大きく設定されてなることで、エアキャスタからのエアのいわゆる逃げ場がなくなり、エアキャスタから噴出されるエアがいわゆる無駄なく移動ベルト体に吹き付けられることになる。
【００１９】
そしてさらに、この発明のエアキャスタ装置が舞台装置としての音響反射板の側面部に配設されることで、たとえば、舞台床に溝や孔が形成されていても、いわゆるエア漏れが危惧されなくなり、音響反射板の円滑な移動が可能とされるのはもちろんのこと、舞台床の溝や孔を塞ぐ作業をしなくても舞台の床面に重量物を移送した痕跡を残すことがなく、また、舞台床の溝や孔を塞ぐ作業を必要としないから、音響反射板の移送に伴う作業の簡素化を可能にし得ることになる。
【発明を実施するための最良の形態】
【００２０】
以下に、図示した実施形態に基づいて、この発明を説明するが、この発明によるエアキャスタ装置は、図示するところでは、重量物たる舞台装置としての音響反射板Ｓの移送に利用されるとしている。
【００２１】
すなわち、図１に示すように、この実施形態にあって、音響反射板Ｓは、門形に形成されていて、内側面を音響反射面（符示せず）にしながら舞台床Ｆ（図２参照）上での移動を可能にするものであって、図示しないが、客席側から観て舞台の左右側となる袖側に位置決められる左右部たる側面部Ｓ１の下端部たる脚部にこの発明のキャスタ装置Ｃが配設されてなるとしている。
【００２２】
このとき、音響反射板Ｓは、これがフレーム構造に形成されることで、後述するエアキャスタ装置Ｃをこの音響反射板Ｓの側面部Ｓ１における脚部に設けるについてかなりの自由度を有し得ることになる。
【００２３】
なお、音響反射板Ｓ自体の形状などについては、種々の提案があるが、たとえば、単体で利用されるとき、客席側から観て舞台の奥側となる正面は、正面反射面とされるのが常態であり、音響反射板Ｓが複数とされていわゆるテレスコープ型に形成されるとする場合には、各音響反射板Ｓにこの発明のエアキャスタ装置Ｃが利用されるのが良い。
【００２４】
ところで、上記のように形成された音響反射板Ｓにあって、エアキャスタ装置Ｃは、図２および図３に示すように、エアキャスタ１と、フレーム体２と、一対のローラ３，３と、移動ベルト体４と、駆動機構５とを有してなるとしている。
【００２５】
エアキャスタ１は、舞台床Ｆの上面たる床面に向けて、すなわち、図示するところでは、移動ベルト体４に向けてエアを噴出するもので、エアの噴出時に所定の反力たる揚力を発生させる限りには、任意の構成が選択されて良く、たとえば、前記した特許文献１に開示されているようなホバークラフト原理に形成されてなるとしても良く、また、図示しないが、いわゆる平面に開穿された無数の小孔から噴き出されるエアによって所定の揚力の発生を可能にするように形成されてなるとしても良い。
【００２６】
そして、このエアキャスタ１は、図示するところでは、図２中および図３中で左右方向となる前後方向に二個配置とされると共に、図３中で上下方向となる左右方向に二個配置とされる計四個の複数配置とされている。
【００２７】
それゆえ、このエアキャスタ装置Ｃにあって、エアキャスタ１の作動時に前後方向おおよび左右方向でいわゆるバランスを取り易くなり、そして、各エアキャスタ１における能力を小さく抑えることが可能になり、また、たとえば、複数あるうちの一つのエアキャスタ１に故障が発現されても、残りのエアキャスタ１が作動するところで、緊急的に対応できることになる。
【００２８】
なお、エアキャスタ１は、上端部たる機械部１１を一体に有していて、この機械部１１の駆動するところで、エアを噴き出し、また、その停止を可能にするとしているが、これに代えて、図示しないが、後述するフレーム体２に載置された機械部からのエア供給を受け、また、エア供給停止を受けるとしても良いことはもちろんである。
【００２９】
フレーム体２は、上記のエアキャスタ１を下面側に保持するとするもので、図示するところでは、上記した機械部１１を介してエアキャスタ１を吊持しながら、図示しないが、音響反射板Ｓにおける側面部Ｓ１の脚部に連設されてなるとしている。
【００３０】
そして、このフレーム体２は、基本的には、複数のエアキャスタ１を吊持すると共に後述する駆動機構５を支持し、また、移動ベルト体４と共に一対のローラ３，３を有するについて必要な機械的強度を有するように形成されていれば足りるとしている。
【００３１】
なお、このフレーム体２については、上記した所定の機械的強度を有する限りには、図示しないが、エアキャスタ装置Ｃにおける一構成部品とされながら音響反射板Ｓの側面部Ｓ１における脚部を構成する部品とされるとしても良い。
【００３２】
一対のローラ３，３は、図２中および図３中で左右方向となる上記のフレーム体２の移動方向における前後端部に保持されてローラ面３ａ（図２参照）を舞台の床面に対向させるとしている。
【００３３】
すなわち、この発明にあって、一対のローラ３，３は、自らがローラ面３ａを舞台の床面に接触させて所定の接触抵抗が発生される状況下に回動されてフレーム体２を走行させるとするものではなく、舞台の床面に接触される後述の移動ベルト体４をその回動で移動させることでフレーム体４を走行させるとしている。
【００３４】
それゆえ、この一対のローラ３，３は、ローラ面３ａを舞台の床面に対向させるとするもので、ローラ面３ａと舞台の床面との間には、移動ベルト体４を介在させるとしている。
【００３５】
そして、この一対のローラ３，３は、移動ベルト体４を介装させる、すなわち、巻装させるとするもので、この巻装時に発生する接触抵抗で移動ベルト体４を移動させるとしている。
【００３６】
それゆえ、この一対のローラ３，３にあっては、移動ベルト体４に対していわゆるエア漏れの原因となる傷付現象を発現させない限りにおいて、ローラ面３ａが粗面加工されてなるとしても良く、また、粗面加工に代えて、鏡面加工されることで移動ベルト体４に対しての密着性を向上させるとしても良い。
【００３７】
移動ベルト体４は、上記の一対のローラ３，３に介装されて、すなわち、巻装されて表面４ａ（図２参照）を舞台の床面に接触させながら裏面４ｂ（図２参照）にエアキャスタ１から噴出されるエアを衝突させるとしている。
【００３８】
それゆえ、この移動ベルト体４にあっては、エアキャスタ１からのエアが移動ベルト体４の裏面４ｂに吹き付けられることになり、その際の反力たる揚力でエアキャスタ１が、すなわち、このエアキャスタ１を下面側に保持するフレーム体２が上昇することになり、その状態下での移動ベルト体４の移動でエアキャスタ装置Ｃが移動し得ることになる。
【００３９】
そして、この移動ベルト体４にあっては、舞台床Ｆに溝や孔が形成されていてもこれを塞ぐことになり、したがって、溝や孔があることに起因するいわゆるエア漏れが危惧させずして、音響反射板Ｓの円滑な移動を可能にすることになる。
【００４０】
のみならず、この移動ベルト体４にあっては、自らが舞台床Ｆの溝や孔を塞ぐから、舞台床Ｆの溝や孔を塞ぐ作業をしなくても舞台の床面に音響反射板Ｓを移送した痕跡を残すことがなく、また、当然のことながら、舞台床Ｆの溝や孔を塞ぐ作業を必要としないから、音響反射板Ｓの移送に伴う作業の簡素化を可能にし得ることになる。
【００４１】
一方、このエアキャスタ装置Ｃにおいて、移動ベルト体４は、図示するところでは、エンドレス構造に形成されていて、後述する駆動機構５にも介装される、すなわち、巻装されるとしている。
【００４２】
ところで、上記したところでは、移動ベルト体４がエンドレス構造とされながら一対のローラ３，３に介装される、すなわち、巻装されるとしているが、エアキャスタ１が作動するときには、エアキャスタ１からのエアが移動ベルト体４の裏面４ｂに吹き付けられることで移動ベルト体４の表面４ａが舞台の床面に密着するとしている。
【００４３】
それゆえ、このエアキャスタ装置にあっては、エアキャスタ１の作動で移動ベルト体４が舞台の床面に押し付けられるようになるときには、エアキャスタ１が、すなわち、フレーム体２が上昇される傾向になり、したがって、このフレーム体２に保持されている一対のローラ３，３も舞台の床面から上昇される傾向になると言い得る。
【００４４】
このことは、一対のローラ３，３が単に移動ベルト体４を移動させるのみとして機能すると仮定すれば何等問題はないとも看得るが、一対のローラ３，３は、移動ベルト体４を舞台の床面に押し付けながら移動させるように機能するものと看る場合には下降状態に維持されているとするのが好ましいことになる。
【００４５】
そこで、図するところにあっては、一対のローラ３，３をフレーム体２の所定位置に保持させるのにあって、図２に示すように、フレーム体２には縦の長孔２ａが開穿されていて、この長孔２ａに一対のローラ３，３における軸３１が挿通されるとしている。
【００４６】
駆動機構５は、上記のフレーム体２に載置されて上記の移動ベルト体４を移動させる、すなわち、回動させるとするもので、図示しないが、たとえば、移動ベルト体４を巻装させるメインドラム５１内に内蔵の両方向モータの駆動で移動ベルト体４の移動を具現化するのが良い。
【００４７】
このとき、図示する駆動機構５にあっては、一対の転向ドラム５２，５２を有してなるとし、移動ベルト体４がこの一対の転向ドラム５２，５２にも巻装されることで、メインドラム５１の駆動時に前記した一対のローラ３，３に巻装されている移動ベルト体４の移動が確実に実現されるように配慮している。
【００４８】
また、この駆動機構５は、この実施形態では、図示しないが、リード線を利用するなどで舞台の奥側や天井などに準備されている電源に接続されて、必要な電力が供給されるとしているが、上記したフレーム体２に載置される蓄電池から必要な電力が供給されるとしても良いことはもちろんである。
【００４９】
それゆえ、以上のように形成されたエアキャスタ装置Ｃにあっては、エアキャスタ１の作動で移動ベルト体４が舞台の床面に押し付けられると共にフレーム体２が舞台床ｆから離座するようにして上昇することになり、この状態下に駆動機構５が駆動されて移動ベルト体４がフレーム体２の上方で移動することになると、一対のローラ３，３が回動して上記の移動ベルト体４の移動を許容することになり、このエアキャスタ装置Ｃが移動する、すなわち、音響反射板Ｓが移動することになる。
【図面の簡単な説明】
【００５０】
【図１】この発明によるエアキャスタ装置を備えた音響反射板を示す部分斜視図である。
【図２】この発明によるエアキャスタ装置の一実施形態を示す側面図である。
【図３】図２のエアキャスタ装置の平面図である。
【符号の説明】
【００５１】
１  エアキャスタ
２  フレーム体
３  ローラ
３ａ  ローラ面
４  移動ベルト体
４ａ  表面
４ｂ  裏面
５  駆動機構
Ｃ  エアキャスタ装置
Ｆ  舞台床
Ｓ  音響反射板
Ｓ１  側面部
【図１】
2008228881.tif 000003
【図２】
2008228881.tif 000004
【図３】
2008228881.tif 000005